(57)【特許請求の範囲】
【請求項１】
温室Ａの屋根構造３の棟３０を境に振り分けられる傾斜する屋根面３ａ・３ａの各一部に、天窓用の開口部４・４を、棟３０を対称軸として対称する位置を占めるよう配位してそれぞれ開設し、それら一対の開口部４・４のそれぞれの温室Ａの室内側に向かう下面側で、それら開口部４の開口面の左右の両側に位置する部位に、開口部４を開閉する開閉窓５を屋根面３ａの傾斜方向に沿いスライド自在にガイドせしめるガイド枠６を装設し、それらガイド枠６に開閉窓５を、それの重量によりスライド下降するようそれぞれ嵌装し、それら開閉窓５に、それらの開口度を揃えて開閉させるよう同調させて開閉作動させる作動機構ｗを連繋せしめてなる温室の天窓において、前記開口部４の下面側の左右の両側部位に設けるガイド枠６には、それの、開閉窓５の側端面５ａに対応する側枠部６０と開閉窓５の下面５ｂの両側部を支承してガイドする底枠部６２とで形成するコーナー部に、その底枠部６２から下方に陥没して屋根面３ａの傾斜方向に連続する雨樋６３を形設し、その雨樋６３を排水樋６４により外部に導くようにしたことを特徴とする温室の天窓。
【請求項２】
温室Ａの、屋根構造３の棟３０を境とする屋根面３ａ・３ａの各一部に、天窓用の開口部４・４を、棟３０を対称軸として対称する位置を占めるよう配位してそれぞれ開設し、それら開口部４・４に、屋根面３ａの傾斜方向に沿いスライドする開閉窓５をそれぞれ嵌装し、それら開閉窓５に、それらを同調させて開閉作動させる作動機構ｗを連繋せしめてなる温室の天窓において、一対の開口部４にそれぞれスライド自在に嵌装する開閉窓５のそれぞれの上縁部に、開口部４から取り込まれる外気の流れを温室Ａ内の上部に誘導するよう上面が上向きに傾斜して温室Ａ内に向けて突出する案内板１０を設けたことを特徴とする温室の天窓。
【請求項３】
温室Ａの、屋根構造３の棟３０を境に振り分けられる傾斜する屋根面３ａ・３ａの各一部に、天窓用の開口部４・４を、棟３０を対称軸として対称する位置を占めるよう配位してそれぞれ開設し、それら一対の開口部４・４のそれぞれの温室Ａの室内側に向かう下面側で、それら開口部４の開口面の左右の両側に位置する部位に、開口部４を開閉する開閉窓５を屋根面３ａの傾斜方向に沿いスライド自在にガイドせしめるガイド枠６を装設し、それらガイド枠６に開閉窓５を、それの重量によりスライド下降するようそれぞれ装設し、それら開閉窓５に、それらの開口度を揃えて開閉させるよう同調させて開閉作動させる作動機構ｗを連繋せしめてなる温室の天窓において、前記開口部４の下面側の左右の両側部位に設けるガイド枠６には、それの、開閉窓５の側端面５ａに対応する側枠部６０と開閉窓５の下面５ｂの両側部を支承してガイドする底枠部６２とで形成するコーナー部に、その底枠部６２から下方に陥没して屋根面３ａの傾斜方向に連続する雨樋６３を形設し、その雨樋６３を排水樋６４により外部に導き、かつ、開閉窓５の下面５ｂの両側部を支承する底枠部６２と開閉窓５の側端面５ａに対応する側枠部６０とで形成されるコーナー部位に、開閉窓５の横方向の荷重と上下方向の荷重との両方を受けるよう傾斜した軸芯線でローラ７１が回転するキャスタ７を設け、開閉窓５には、それの側端面５ａと下面５ｂとで形成される下面側の左右の両隅部に、前記キャスタ７のローラ７１の軸芯線と平行する傾斜面ａを設けたことを特徴とする温室の天窓。
【請求項４】
温室Ａの、屋根構造３の棟３０を境に振り分けられる傾斜する屋根面３ａ・３ａの各一部に、天窓用の開口部４・４を、棟３０を対称軸として対称する位置を占めるよう配位してそれぞれ開設し、それら一対の開口部４・４のそれぞれの温室Ａの室内側に向かう下面側で、それら開口部４の開口面の左右の両側に位置する部位に、開口部４を開閉する開閉窓５を屋根面３ａの傾斜方向に沿いスライド自在にガイドせしめるガイド枠６を装設し、それらガイド枠６に開閉窓５を、それの重量によりスライド下降するようそれぞれ装設し、それら開閉窓５に、それらの開口度を揃えて開閉させるよう同調させて開閉作動させる作動機構ｗを連繋せしめてなる温室の天窓において、一対の開口部４にそれぞれスライド自在に嵌装する開閉窓５には、それぞれの上縁部に、開口部４から取り込まれる外気の流れを温室Ａ内の上部に誘導するよう上面が上向きに傾斜して温室Ａ内に向けて突出する案内板１０を設け、かつ、該開閉窓５の側端面５ａと温室Ａの床面に対向する下面５ｂとで形成される下面側の左右の隅部に、該開閉窓５の横方向の荷重と上下方向の荷重との両方を受けるように傾斜した軸芯線でローラ７１が回転するキャスタ７を取り付け、開口部４の下面側の左右の両側部位に設けるガイド枠６には、それの、開閉窓５の側端面５ａに対応する側枠部６０と開閉窓５の下面５ｂの両側部を支承する底枠部６２とで形成される左右のコーナー部に、前記キャスタ７のローラ７１の軸芯線と平行する傾斜面ａを設けたことを特徴とする温室の天窓。
【発明の詳細な説明】
【０００１】
【発明が属する技術分野】
本発明は、屋根に、開口部と開閉窓とにより構成して設ける温度調節と換気用の天窓についての改良に関する。
【０００２】
【従来の技術】
温室には、それの室内の温度の調節と、室内の空気を入れ換えるために、屋根の一部に開口部を設けてここに開閉する開閉窓を設けて構成する天窓が装設される。
【０００３】
このように温室に設ける天窓は、屋根の一部に設けた開口部の上縁側にヒンジを設けて、これに開閉窓の上縁側を連結し、その開閉窓の下縁側を温室の内側から突き出すことで開放回動させる窓出し式の形態のものが殆どで、一部のものが屋根面に沿い、横方向または縦方向にスライドさせることで開閉する形態の天窓に構成してある。
【０００４】
【発明が解決しようとする課題】
殆どの温室に施設されている開閉窓が突き出し式の天窓は、開放したときに、屋根から立ち上がった状態となることで、風に弱く、強風のときには、風であおられて破損するようになるので閉めておかなければならず、このため、管理・操作が厄介な問題がある。
【０００５】
また、温室は、夏場に天窓を閉め切っておくと、温室内が蒸れて温室内の植物が弱ることから、夏場には天窓を開放した状態としておくことが必要であるが、夏場では台風等の強風の多い季節であるので、この時期の強い風にも耐える構造のものに作らなければならない問題がある。
【０００６】
天窓の開閉窓を開放した状態のときに、強い風に弱い問題は、天窓の開閉窓をスライドにより開閉するスライド式とした場合にも起きる。この場合には、開放した開口部から温室内に吹き込む風により、温室内の風圧が異常に高くなることで、温室の構造体に損傷を与えるようになって、天窓の開閉窓がそれをスライド自在に支持する取付枠ごと吹き飛ばされるようになってくる。
【０００７】
また、この開閉窓がスライド式の天窓は、スライドの方向を横方向としたものにあっては、それの開閉作動が確実に行われるようにすることがむづかしい問題があり、また、スライドの方向を屋根の傾斜方向としたものにあっては、スライドを円滑にするために組み付ける戸車よりなるキャスタを、天窓の開閉窓の側面の他に、開閉窓の重量を受けるその開閉窓の温室の内部に向かう下面側にも付設しなければならないことで、組み立てにコストが嵩む問題がある。
【０００８】
本発明は、従来手段に生じている上述の問題を解消せしめるためになされたものであって、温室の屋根面に設けた開口部に開閉自在に設ける天窓の開閉窓を、開放しておくことが望まれる夏場に開放状態にしておいたときに、強い風が吹いても破損することがなく、かつ、強風が開口部から温室内に吹き込まれても温室内に異常に高い風圧がかかるようになることがないようにすることと、天窓の開閉窓を屋根の傾斜方向にスライドさせるようにしたときの、それに付設するキャスタの数を半減させて製作・組み立てのコストを低減させることを目的とするものである。
【０００９】
【課題を解決するための手段】
温室の屋根に設ける天窓を、それの開閉窓を開放状態としたときにおける風に対する強さが強風に耐えるものとなるようにするには、開閉がスライドにより行われるスライド式とすることが有効である。そして、スライド式とするとき、天窓の開閉窓のスライド方向が横方向ではなく縦方向とすることで、スライドによる開閉作動を確実にし得るようになる。
【００１０】
また、天窓の開閉窓を開放したときに、開口部から強い風が温室内に吹き込むことにより温室内に生ずる高い風圧に対しては、温室を、それの屋根構造が、棟を境として振り分けられる傾斜した屋根面を具備する切妻式に構築して、その振り分けられた屋根面のそれぞれの一部で対称位置となる部位に開口部を設けて、ここに天窓の開閉窓をスライド自在に取り付けるようにすれば、一方の開口部から温室内に吹き込んだ風が対称位置にある他方の開口部から温室の外に吹き抜けるようになることで、開口部から吹き込む風により温室内に生ずる風圧を逃せるようになる。
【００１１】
このとき、対称位置に設ける開口部に取り付ける天窓の開閉窓の一方が閉じられているか、開度が小さいと、開放している開口部から吹き込まれる風により温室内の風圧が高くなるようになるが、この一対に対称させて設ける開口部にそれぞれ組み付ける開閉窓の開閉作動が同調して行われるように作動機構を構成しておけば、この問題も解決し得るようになる。
【００１２】
このことから、本発明においては、請求項１に記載したように、温室Ａの屋根構造３の棟３０を境に振り分けられる傾斜する屋根面３ａ・３ａの各一部に、天窓用の開口部４・４を、棟３０を対称軸として対称する位置を占めるよう配位してそれぞれ開設し、それら一対の開口部４・４のそれぞれの温室Ａの室内側に向かう下面側で、それら開口部４の開口面の左右の両側に位置する部位に、開口部４を開閉する開閉窓５を屋根面３ａの傾斜方向に沿いスライド自在にガイドせしめるガイド枠６を装設し、それらガイド枠６に開閉窓５を、それの重量によりスライド下降するようそれぞれ嵌装し、それら開閉窓５に、それらの開口度を揃えて開閉させるよう同調させて開閉作動させる作動機構ｗを連繋せしめてなる温室の天窓において、前記開口部４の下面側の左右の両側部位に設けるガイド枠６には、それの、開閉窓５の側端面５ａに対応する側枠部６０と開閉窓５の下面５ｂの両側部を支承してガイドする底枠部６２とで形成するコーナー部に、その底枠部６２から下方に陥没して屋根面３ａの傾斜方向に連続する雨樋６３を形設し、その雨樋６３を排水樋６４により外部に導くようにしたことを特徴とする温室の天窓の手段を提起するものである。
【００１３】
また、開閉窓５の内面側の上縁部に、吹き込まれる風の流れを温室Ａ内の上部に誘導する案内板１０を設けておけば、開閉窓５の上縁側に生成される乱流を防ぎ、開閉窓５に対する風の抵抗を少なくし得ることから、請求項２に記載したように、温室Ａの、屋根構造３の棟３０を境とする屋根面３ａ・３ａの各一部に、天窓用の開口部４・４を、棟３０を対称軸として対称する位置を占めるよう配位してそれぞれ開設し、それら開口部４・４に、屋根面３ａの傾斜方向に沿いスライドする開閉窓５をそれぞれ嵌装し、それら開閉窓５に、それらを同調させて開閉作動させる作動機構ｗを連繋せしめてなる温室の天窓において、一対の開口部４にそれぞれスライド自在に嵌装する開閉窓５のそれぞれの上縁部に、開口部４から取り込まれる外気の流れを温室Ａ内の上部に誘導するよう上面が上向きに傾斜して温室Ａ内に向けて突出する案内板１０を設けたことを特徴とする温室の天窓を提起するものである。
【００１４】
また、屋根の傾斜方向にスライドするよう設ける開閉窓とそれをガイドさせるガイド枠との間に戸車式のキャスタを付設するとき、屋根面に沿い斜の上下方向にスライドする開閉窓の左右の側端面と、温室の室内側に向かう下面側とで形成されるコーナー部位に、横方向の荷重と上下方向の荷重を受けるよう傾斜する軸芯線でローラが回転するキャスタを取付け、ガイド枠にはこのキャスタの軸芯線に対向する傾斜面とを設けるようにすれば、付設するキャスタの数を半減し得るようになる。このことから、請求項３に記載したように、温室Ａの、屋根構造３の棟３０を境に振り分けられる傾斜する屋根面３ａ・３ａの各一部に、天窓用の開口部４・４を、棟３０を対称軸として対称する位置を占めるよう配位してそれぞれ開設し、それら一対の開口部４・４のそれぞれの温室Ａの室内側に向かう下面側で、それら開口部４の開口面の左右の両側に位置する部位に、開口部４を開閉する開閉窓５を屋根面３ａの傾斜方向に沿いスライド自在にガイドせしめるガイド枠６を装設し、それらガイド枠６に開閉窓５を、それの重量によりスライド下降するようそれぞれ装設し、それら開閉窓５に、それらの開口度を揃えて開閉させるよう同調させて開閉作動させる作動機構ｗを連繋せしめてなる温室の天窓において、前記開口部４の下面側の左右の両側部位に設けるガイド枠６には、それの、開閉窓５の側端面５ａに対応する側枠部６０と開閉窓５の下面５ｂの両側部を支承してガイドする底枠部６２とで形成するコーナー部に、その底枠部６２から下方に陥没して屋根面３ａの傾斜方向に連続する雨樋６３を形設し、その雨樋６３を排水樋６４により外部に導き、かつ、開閉窓５の下面５ｂの両側部を支承する底枠部６２と開閉窓５の側端面５ａに対応する側枠部６０とで形成されるコーナー部位に、開閉窓５の横方向の荷重と上下方向の荷重との両方を受けるよう傾斜した軸芯線でローラ７１が回転するキャスタ７を設け、開閉窓５には、それの側端面５ａと下面５ｂとで形成される下面側の左右の両隅部に、前記キャスタ７のローラ７１の軸芯線と平行する傾斜面ａを設けたことを特徴とする温室の天窓を提起するものである。
また、さらに、請求項４に記載したように温室Ａの、屋根構造３の棟３０を境に振り分けられる傾斜する屋根面３ａ・３ａの各一部に、天窓用の開口部４・４を、棟３０を対称軸として対称する位置を占めるよう配位してそれぞれ開設し、それら一対の開口部４・４のそれぞれの温室Ａの室内側に向かう下面側で、それら開口部４の開口面の左右の両側に位置する部位に、開口部４を開閉する開閉窓５を屋根面３ａの傾斜方向に沿いスライド自在にガイドせしめるガイド枠６を装設し、それらガイド枠６に開閉窓５を、それの重量によりスライド下降するようそれぞれ装設し、それら開閉窓５に、それらの開口度を揃えて開閉させるよう同調させて開閉作動させる作動機構ｗを連繋せしめてなる温室の天窓において、一対の開口部４にそれぞれスライド自在に嵌装する開閉窓５には、それぞれの上縁部に、開口部４から取り込まれる外気の流れを温室Ａ内の上部に誘導するよう上面が上向きに傾斜して温室Ａ内に向けて突出する案内板１０を設け、かつ、該開閉窓５の側端面５ａと温室Ａの床面に対向する下面５ｂとで形成される下面側の左右の隅部に、該開閉窓５の横方向の荷重と上下方向の荷重との両方を受けるように傾斜した軸芯線でローラ７１が回転するキャスタ７を取り付け、開口部４の下面側の左右の両側部位に設けるガイド枠６には、それの、開閉窓５の側端面５ａに対応する側枠部６０と開閉窓５の下面５ｂの両側部を支承する底枠部６２とで形成される左右のコーナー部に、前記キャスタ７のローラ７１の軸芯線と平行する傾斜面ａを設けたことを特徴とする温室の天窓を提起するものである。
【００１５】
【発明の実施の形態】
次に本発明手段の実施の態様を説明する。図１においてＡは温室で、通常の温室と同様に、敷設した基礎１の上に鉄材またはアルミ材などの金属材よりなる支柱・桁・梁などの構造材２で軸組みして構築するが、それの屋根構造３を切妻式とし、棟３０を境に両側に傾斜した屋根面３ａ・３ａが振り分けられて存在する形態に構築する。
【００１６】
４は、この切妻式の温室Ａの屋根構造３に開口した開口部で、棟３０を境として両側に振り分けられて位置する傾斜した屋根面３ａ・３ａのそれぞれの一部に、適宜の大きさ形状のものとして開設するが、図１の縦断正面図および図２の側面図ならびに図３の平面図にあるように、それら屋根面３ａ・３ａの、棟３０を対称軸として対称する位置に、対称する大きさ形状のものとしてそれぞれ開設してある。
【００１７】
これら開口部４には、それの内周に、図３のＩ−Ｉ線により屋根面３ａを切断した図４の断面図にあるように、金属材から断面チャンネル状に成形した縁枠４０が、補強材４１を介して装着される。
【００１８】
また、この開口部４の温室Ａの室内に向かう内面側には、その開口部４の開口面の左右の両側に位置する部位に、開閉窓５を屋根面３ａの傾斜方向に沿いスライド自在にガイドさせるためのガイド枠６をそれぞれ装設する。
【００１９】
このガイド枠６は、金属材の板部材の折曲成形または押出成形により、前述の図４にあるよう、屋根面３ａの傾斜方向視において、開閉窓５の側端面５ａに対応する側枠部６０と、その側枠部６０の上縁側の屋根面３ａの内面に沿い開口部４と反対側に向け折り曲がる取付板部６１と、前記側枠部６０下縁側から開口部４に向けて折り曲がる底枠部６２とで、クランク状をなすように形成してあり、側枠部６０の上縁側に連続する取付板部６１を温室Ａの屋根構造３の垂木３１の下面に取り付けることで温室Ａの構造体に取り付けてあって、これにより、図４にあるよう、側枠部６０の内面により開閉窓５の側端面５ａをガイドし、また、温室Ａの床面に対向する底枠部６２の内面側により開閉窓５の下面５ｂの両側端部を支承してガイドするようにしている。
【００２０】
そして、このガイド枠６の、開閉窓５の下面５ｂの両側部を支承してガイドする底枠部６２には、開閉窓５の側端面５ａをガイドする側枠部６０に寄る部位に、下方に段状に陥没して屋根面３ａの傾斜方向に沿って連続する樋状に形成した雨樋６３が形設してあり、それの傾斜下降側の端部を適宜の排水樋６４により外部に導き、これにより、開閉窓５に降った雨を集めて外部に流し出すようにしている。
【００２１】
また、図４において、７は、上述の如く開口部４の内側の左右の両側部位に装設したガイド枠６・６に、屋根面３ａに沿いスライド自在に嵌装した開閉窓５に対し、それのスライド作動を円滑にするために付設したキャスタで、ブラケット軸受７０にローラ７１を軸支した通常のものであるが、そのブラケット軸受７０に軸支するローラ７１は、それの軸芯線が、縦断面図である図４において上下方向となっている側枠部６０の内面に対し略４５度に傾斜する状態に配位して、ガイド枠６の側枠部６０と底枠部６２とで形成されるコーナー部に、ブラケット軸受７０に一体に連結させて設けておいた取付台座７２を、嵌合して取り付けることで装設してある。
【００２２】
そして、ガイド枠６・６にスライド自在に嵌装する開閉窓５には、それの側端面５ａと温室Ａの床面に向かう下面５ｂとで形成される隅部を、斜めに切除して、ここに、上述のキャスタ７のローラ７１に当接させるレールとなる傾斜面ａを、そのローラ７１の軸芯線と平行するよう略４５度に傾斜する傾斜面として形設してある。
【００２３】
これにより、ガイド枠６・６にスライド自在に嵌装する開閉窓５は、上下方向に対し軸芯線を傾斜させたキャスタ７のローラ７１が、そのローラ７１の軸芯線と平行する角度に傾斜した傾斜面ａに接触してガイドされることから、その軸芯線が重力方向である上下方向に対して傾斜するキャスタ７のローラ７１に支承されることにより生ずる左右方向である横方向の分力荷重と、上下方向である重力方向の分力荷重の両方が支承されて、ガイド枠６内を開閉窓５が屋根面３ａに沿いスライドすることになる。
【００２４】
このため、開閉窓５は、このキャスタ７により生ずる横方向の分力荷重の反力により常に開口部４の左右の中央に向け寄せられながら、キャスタ７により重力方向の分力荷重が支承されてスライドして、横方向の片寄りがない状態で開閉するようになり、開閉作動を円滑にし、併せて、キャスタ７の取り付け個数を半減し得るようになる。
【００２５】
次に図５は、別の実施例を示している。この例は、キャスタ７を開閉窓５の側に取り付け、ガイド枠６の側には、キャスタ７のローラ７１の軸芯線の上下方向に対する傾斜角度に対応する角度で上下方向に対して傾斜させた傾斜面ａを装設して、キャスタ７と、それのローラ７１に接当させる傾斜面ａとの関係を前述の実施例と逆にした例である。
【００２６】
この例においては、開閉窓５の側端面５ａと温室Ａの床面に対向する下面５ｂとで形成される隅部には、それを重力方向に沿う側端面５ａに対し略４５度に傾く切欠線をもって切除した切欠部５ｃを形設して、ここに、キャスタ７の取付台座７２を当接して取り付けることで、そのキャスタ７を、それのローラ７１の軸芯線が重力方向に対し所定角度に傾斜する状態として組み付けてある。
【００２７】
一方、ガイド枠６には、それの側枠部６０と底枠部６２とで形成するコーナー部に、前述した開閉窓５の隅部に取り付けたキャスタ７のローラ７１の軸芯線と平行する傾斜面ａを形成し、その傾斜面ａと底枠部６２との間に、下方に向けて段状に陥没して屋根面３ａの傾斜方向に樋状に連続する雨樋６３を形設した構造のものとしている。
【００２８】
ガイド枠６のコーナー部または開閉窓５の隅部に取り付けるキャスタ７のローラ７１の軸芯線を、上下方向（重力方向）に対して傾斜させる傾斜角度は、図４および図５に示した実施例においては、略４５度しているが、横方向と重力方向との両方の荷重を支承するようになればよく、３０度乃至６０度程度の傾斜角度に設定してよいものである。
【００２９】
また、ガイド枠６・６にスライド自在に嵌装する前述の開閉窓５は、前述の図４および図５においては、一つのブロックとして示しているが、図８にあるように、アルミ材または鉄材などの金属材で成形するサッシ５０の内周側に、コーキング材５１を介してガラス板５２を嵌装して構成する形態の通常のものであり、それの側端面５ａと下面５ｂとで形成される隅部に形設する斜めの傾斜面ａまたは切欠部５ｃは、開閉窓５のサッシ５０に形設するようにしている。
【００３０】
また、開閉窓５は、ガイド枠６・６にスライド自在に嵌装したときに、それ自体の重量により、屋根面３ａに沿わせて設けるガイド枠６・６内を、それの傾斜下降側に向けて自然に滑動していくように組み立ててある。
【００３１】
そして、この開閉窓５には、それを開閉作動させる作動機構ｗを連繋するが、その機構は、実施例では、引き紐８の一端側を連繋し、その引き紐８を屋根面３ａに沿い上方に導き、この引き紐８を、図６に示しているように、棟木３２に取付金具９０を介して支架せる軸９１に軸支した滑車９にかけまわして、その引き紐８の他端側を垂下させることにより、温室Ａ内の高所に配設した滑車９を介して下方に迂回させて垂下させることで構成し、それの垂下させた引き紐８の他端側を引っ張ることで、開閉窓５をガイド枠６・６にガイドさせて引き上げ、引き紐８の他端側の引っ張りを緩めることで開閉窓５を下降作動させるようにしている。
【００３２】
このとき、温室Ａ内の高所に配設する滑車９は、図７にあるよう、２連に並列させて軸支しておき、一方の屋根面３ａの開口部４に設けた開閉窓５に連繋する引き紐８と、対称する他方の屋根面３ａの開口部４に設けた開閉窓５に連繋する引き紐８とが、各別の滑車９により下方に迂回して垂下していくようにして、それぞれの引き紐８・８の他端側を一緒に引き下げまたは繰り出すことで、それら引き紐８・８をガイドする滑車９・９がそれぞれ逆向に回動して、対称する開閉窓５・５が同調して開閉作動するようにしている。
【００３３】
対称する開閉窓５・５に連繋する引き紐８・８の他端側を、一緒に引き下げまたは繰り出す作動は、それら引き紐８・８の滑車９・９を経て垂下する他端側の下端側を、図６にあるように一本に束ねておくことで、この束ねた部位を引き下げまたは繰り出すよう操作することで行える。
【００３４】
引き紐８・８をかけまわす滑車９・９は、開閉窓５・５を引き上げる方向に動かす引き紐８・８の他端側を下方に折り返すようにするためのものであり、固定のものとしてもよく、そのときは、上半周側だけの形態としてもよい。
【００３５】
またこの図６および図７に示している例は、開閉窓５・５に、引き紐８・８を連繋して、これを手動操作により作動させるようにした手動式の作動機構ｗとしているが、例えば、開閉窓５・５に一端側を連繋した引き紐８・８の他端側を棟木３２の下方に配設した２連の滑車９・９のそれぞれに、巻き付け連繋しておいて、それら滑車９・９を、モータにより正逆に駆動回転させることで、引き紐８・８を巻き込み、また繰り出すウインチに構成し、かつ、それら滑車９・９を各別のモータによりそれぞれが逆向に回転させるようにするか、伝導機構を介してそれぞれが逆向に回転するように一つのモータの出力軸に伝導しておき、それら駆動用のモータを、温室Ａに配設しておくスイッチの操作により制御することで、作動させ得る電動式とするなど、適宜の機械式または自動式のものに構成してよいものである。
【００３６】
図８において、１０は開閉窓５の上縁に設けた案内板で、開閉窓５と略同巾の金属板を成形して、開閉窓５の上縁から温室Ａ内に緩く傾斜して立ち上がるように形成してあって、開閉窓５を下降スライドさせて開口部４を図８にあるよう所望の開度に開口して、屋根面３ａに吹き付けられる風をこの開口した開口部４から温室Ａ内に受け入れて、対称する位置に同様の開度に開口させた開口部４から温室Ａの外に流出させるようにし、温室Ａ内を風が通過していくようにしたときに、屋根面３ａおよび開閉窓５の外面に誘導されて開口部４に流れてきて、その開口部から温室Ａ内に吹き込まれるようになる風の流れを、緩やかに方向を変えさせながら温室Ａ内に誘導して、開口部４を開口した開閉窓５の上縁側に生成される乱流を防ぎ、対称する開口部４・４を通過する風の流れを水平な状態として、開閉窓５に対する風の抵抗を少なくして、開閉窓５を風に強いものとするよう作用する。
【００３７】
切妻式とした屋根３の対称する屋根面３ａ・３ａに、棟３０を対称軸として対称する位置を占めるように配位して設ける開口部４・４に、屋根面３ａ・３ａに沿いそれらの傾斜方向にスライド自在に装設する開閉窓５・５を、開口部４・４の開度を所望に変更させるために開閉作動させる作動機構ｗは、対称位置に配設した開閉窓５・５の開度を同調させるようになればよいものである。
【００３８】
【発明の効果】
以上説明したように、本発明による温室の天窓は、温室を、切妻式の屋根構造のものとし、それの棟を境として振り分けられる屋根面のそれぞれに、天窓を組み付ける開口部を、対称する位置に開口しておいて、それら開口部に屋根面の傾斜方向に沿いスライドする開閉窓をそれぞれ装設し、それら開閉窓を、同調して開閉作動する作動機構により、開口度を揃えて開閉させるようにしているのだから、開口部とそれを開閉する開閉窓とで構成する天窓を、風に強い構造とし、強い風が開口部から温室内に吹き込まれることにより温室内に生ずる高い風圧の問題も解決し得るようになる。
【図面の簡単な説明】
【図１】  本発明を実施せる温室の縦断正面図である。
【図２】  同上温室の側面図である。
【図３】  同上温室の平面図である。
【図４】  同上温室の天窓部分の図３におけるＩ−Ｉ線の横断面図である。
【図５】  同上温室の天窓部分の別の実施例の横断面図である。
【図６】  同上温室の天窓の開閉窓を開閉させる作動機構部の正面図である。
【図７】  同上の作動機構部の斜視図である。
【図８】  同上の天窓部分の別の実施例の縦断側面図である。
【符号の説明】
Ａ…温室，ａ…傾斜面、ｗ…作動機構、１…基礎、１０…案内板、２…構造材、３…屋根構造、３ａ…屋根面、３０…棟、３１…垂木、３２…棟木、４…開口部、４０…縁枠、４１…補強材、５…開閉窓、５ａ…側端面、５ｂ…下面、５ｃ…切欠部、５０…サッシ、５１…コーキング材、５２…ガラス板、６…ガイド枠、６０…側枠部、６１…取付板部、６２…底枠部、６３…雨樋、６４…排水樋、７…キャスタ、７０…ブラケット軸受、７１…ローラ、７２…取付台座、８…引き紐、９…滑車、９０…取付金具、９１…軸。
【図１】
0003745699.tif 000002
【図２】
0003745699.tif 000003
【図３】
0003745699.tif 000004
【図４】
0003745699.tif 000005
【図５】
0003745699.tif 000006
【図６】
0003745699.tif 000007
【図７】
0003745699.tif 000008
【図８】
0003745699.tif 000009